【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
進化したマルチメディア・ブロードキャスト／マルチキャスト・サービス（進化したＭＢＭＳ）をサポートするシステム構造であって、
マルチメディア・ブロードキャスト／マルチキャスト・サービス（ＭＢＭＳ）に関する制御シグナリングとベアラ・サービスとを開始するブロードキャスト／マルチキャスト・サービス・センタ（ＢＭ−ＳＣ）と、
ＭＢＭＳサービス・データおよびＭＢＭＳ制御シグナリング、または別のネットワークからのサービス・データを受信し、前記受信されたサービス・データおよび前記受信された制御シグナリングを転送する、システム・アーキテクチャが進化したゲートウェイ（ＳＡＥ  ＧＷ）と、
前記ＭＢＭＳ制御シグナリングを受信し、処理し、転送するとともに、ＭＢＭＳに関する前記サービス・データの各アイテムに関して、前記制御シグナリングを受信する必要がある拡張ＮｏｄｅＢ（ｅＮＢ）を特定するブロードキャスト／マルチキャスト管理エンティティ（ＢＭＥ）と、
前記ＭＢＭＳサービス・データを受信し、進化したパケット・システム・アーキテクチャ・エボリューションにおいて前記受信されたＭＢＭＳサービス・データを処理し、前記処理されたＭＢＭＳサービス・データを下流のノードに転送するマルチキャスト・ユーザ・プレーン・エンティティ（ｍＵＰＥ）とを含む、システム構造。
【請求項２】
前記ＳＡＥ  ＧＷは、
前記ＢＭ−ＳＣまたは別のネットワークから前記ＭＢＭＳサービス・データおよび前記ＭＢＭＳ制御シグナリングを受信し、サービス・パラメータをローカルで格納し、前記受信されたサービス・データおよび前記受信された制御シグナリングをサービングＳＡＥ  ＧＷに転送するパケット・データ・ネットワークＳＡＥ  ＧＷと、
前記パケット・データ・ネットワークＳＡＥ  ＧＷから前記ＭＢＭＳサービス・データおよび前記ＭＢＭＳ制御シグナリングを受信し、サービス・パラメータをローカルで格納し、前記受信されたサービス・データおよび前記受信された制御シグナリングを前記下流のノードに転送する前記サービングＳＡＥ  ＧＷとを含む、請求項１に記載のシステム構造。
【請求項３】
前記サービングＳＡＥ  ＧＷと前記パケット・データ・ネットワークＳＡＥ  ＧＷとが１つの同一の物理的ノードに配置される、請求項２に記載のシステム構造。
【請求項４】
前記サービングＳＡＥ  ＧＷと前記パケット・データ・ネットワークＳＡＥ  ＧＷとが異なる物理的ノードに配置される、請求項２に記載のシステム構造。
【請求項５】
前記サービングＳＡＥ  ＧＷは、転送されるべき前記ＭＢＭＳに対する配信ツリー管理の機能を有する、請求項２に記載のシステム構造。
【請求項６】
前記サービングＳＡＥ  ＧＷは、前記転送された制御シグナリングの中に含まれるパラメータをローカルで格納する、請求項２に記載のシステム構造。
【請求項７】
前記ＢＭＥは、前記転送された制御シグナリングの中に含まれるパラメータを格納する、請求項１に記載のシステム構造。
【請求項８】
前記ＢＭＥは、転送されるべき前記ＭＢＭＳに対する配信ツリー管理の機能を有する、請求項１に記載のシステム構造。
【請求項９】
前記ＢＭＥは、前記進化したＭＢＭＳのための管理エンティティである、請求項１に記載のシステム構造。
【請求項１０】
前記ＢＭＥは、個別のネットワーク・セルとして実施されることが可能であり、あるいは、マルチキャスト調整エンティティ（ＭＣＥ）内または移動性管理エンティティ（ＭＭＥ）内で提供されることが可能である、請求項１に記載のシステム構造。
【請求項１１】
前記ＢＭＥは、インタフェースを介して前記サービングＳＡＥ  ＧＷおよびノード（ｅＮＢ）にそれぞれ接続される、請求項１に記載のシステム構造。
【請求項１２】
前記ＭＢＭＳは進化したＭＢＭＳである、請求項１乃至１１のいずれか１項に記載のシステム構造。
【請求項１３】
システム・アーキテクチャ・エボリューションにおいてマルチメディア・ブロードキャスト／マルチキャスト・サービス（ＭＢＭＳ）をサポートする方法であって、
ブロードキャスト／マルチキャスト・サービス・センタ（ＢＭ−ＳＣ）によって、ＭＢＭＳベアラ・サービスを開始し、前記サービスを、システム・アーキテクチャが進化したゲートウェイ（ＳＡＥ  ＧＷ）に転送する、または別のネットワークによるサービス・データを前記ＳＡＥ  ＧＷに送信するステップと、
前記ＳＡＥ  ＧＷが、前記ＭＢＭＳサービス・データ、または別のネットワークからの前記サービス・データを受信した後、前記ＳＡＥ  ＧＷによって、前記受信されたＭＢＭＳサービス・データ、または前記別のネットワークからの前記サービス・データを、マルチキャスト・ユーザ・プレーン・エンティティ（ｍＵＰＥ）に転送するステップと、
前記ｍＵＰＥが前記ＭＢＭＳサービス・データを受信した後、前記ｍＵＰＥによって、進化したパケット・コア・ネットワークにおいて前記受信されたＭＢＭＳサービス・データにコア・ネットワーク処理を実行し、前記処理されたＭＢＭＳサービス・データを下流のノードに転送するステップとを含む、方法。
【請求項１４】
前記ＳＡＥ  ＧＷによって、転送されるべき前記ＭＢＭＳに対して配信ツリー管理を実行するステップをさらに含む、請求項１３に記載の方法。
【請求項１５】
ブロードキャスト／マルチキャスト管理エンティティ（ＢＭＥ）によって、転送されるべき前記ＭＢＭＳに対して配信ツリー管理を実行するステップをさらに含む、請求項１３に記載の方法。
【請求項１６】
前記ＭＢＭＳは、進化したＭＢＭＳである請求項１３乃至１５のいずれか１項に記載の方法。
【請求項１７】
システム・アーキテクチャ・エボリューションにおいてマルチメディア・ブロードキャスト／マルチキャスト・サービス（ＭＢＭＳ）を伝送する方法であって、
ブロードキャスト／マルチキャスト・サービス・センタ（ＢＭ−ＳＣ）によって、ＭＢＭＳセッション開始メッセージを開始し、前記ＭＢＭＳセッション開始メッセージを対応するシステム・アーキテクチャが進化したゲートウェイ（ＳＡＥ  ＧＷ）に転送するステップと、
前記ＳＡＥ  ＧＷが前記ＭＢＭＳセッション開始メッセージを受信した後、前記ＳＡＥ  ＧＷによって、前記受信されたＭＢＭＳセッション開始メッセージを対応するブロードキャスト／マルチキャスト管理エンティティ（ＢＭＥ）に転送するステップと、
前記ＭＢＭＳセッション開始メッセージの前記受信に応答して、前記ＳＡＥ  ＧＷによって前記ＢＭ−ＳＣに応答メッセージを送り返して、前記メッセージの前記受信を確認するステップと、
前記ＢＭＥによって、前記ＳＡＥ  ＧＷから転送された前記ＭＢＭＳセッション開始メッセージを受信し、前記受信されたＭＢＭＳセッション開始メッセージを、前記ＢＭＥに接続されて前記ＭＢＭＳによって範囲に含まれる前記サービスエリア内に位置する拡張Ｎｏｄｅ  Ｂ（ｅＮＢ）のそれぞれに転送するステップと、
前記ＭＢＭＳセッション開始メッセージの前記受信に応答して、前記ＢＭＥによって前記ＳＡＥ  ＧＷに応答メッセージを送り返して、前記メッセージの前記受信を確認するステップと、
前記ＭＢＭＳセッション開始メッセージの前記受信に応答して、前記ｅＮＢのそれぞれによって前記ＢＭＥに応答メッセージを送り返して、前記メッセージの前記受信を確認するステップとを含む、方法。
【請求項１８】
前記ＳＡＥ  ＧＷによって、前記ＭＢＭＳセッション開始メッセージの中に含まれるパラメータをローカルで格納するステップをさらに含む、請求項１７に記載の方法。
【請求項１９】
前記ＢＭＥによって、前記ＭＢＭＳセッション開始メッセージの中に含まれるパラメータをローカルで格納するステップをさらに含む、請求項１７に記載の方法。
【請求項２０】
前記ＢＭＥは、ＭＢＭＳセッションを更新すること、および停止することができる、請求項１７に記載の方法。